【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
プリントジョブについてのプリント制御情報及びプリントジョブに使われるファイルについての情報をマークアップ言語を用いて記述する第1マークアップファイルを生成するステップと、
前記生成された第１マークアップファイルを所定のインターフェースを通じてプリント装置に伝送するステップと、を含み、
前記プリントジョブに使われるファイルについての情報は、プリントレイアウトをマークアップ言語で記述する第２マークアップファイルについてのリンクを含むことを特徴とするプリント方法。
【請求項２】
前記プリント装置で前記第１マークアップファイルを解釈して、前記プリント制御情報によって前記プリントジョブを行うステップをさらに含むことを特徴とする請求項１に記載のプリント方法。
【請求項３】
前記プリントジョブを行うステップは、
前記リンクを参照して前記第２マークアップファイルを受信するステップと、
前記第２マークアップファイルを解釈してプリントするページのレイアウトを構成するステップと、
プリントするファイルを受信するステップと、
前記プリントするファイルを前記レイアウトに合わせてプリントするステップと、を含むことを特徴とする請求項２に記載のプリント方法。
【請求項４】
前記プリントジョブを行うステップは、
前記リンクを参照して前記第２マークアップファイルが前記プリント装置に保存されたことを確認するステップと、
前記第２マークアップファイルを解釈してプリントするページのレイアウトを構成するステップと、
プリントするファイルを前記レイアウトに合わせてプリントするステップと、を含むことを特徴とする請求項２に記載のプリント方法。
【請求項５】
前記プリント制御情報は、プリントする画面の余白、プリント枚数、ファイルの伝送のためのハンドル、プリントするイメージのサイズ、回転如何、色調整如何、サイズ調整如何、中心位置情報、解像度、プリント品質についての情報のうち少なくとも一つの情報を含むことを特徴とする請求項１に記載のプリント方法。
【請求項６】
前記所定のインターフェースは、ＵＳＢ保存装置と認識されるイメージ供給装置を直接前記プリント装置に挿入して使用するインターフェースであることを特徴とする請求項１に記載のプリント方法。
【請求項７】
前記所定のインターフェースは、分離型記録媒体であることを特徴とする請求項１に記載のプリント方法。
【請求項８】
前記分離型記録媒体は、メモリスティックやメモリカードであることを特徴とする請求項７に記載のプリント方法。
【請求項９】
前記所定のインターフェースは、無線インターフェースであることを特徴とする請求項１に記載のプリント方法。
【請求項１０】
前記無線インターフェースは、無線ＬＡＮのためのブルートゥースインターフェースまたはＷｉ−Ｆｉインターフェースであることを特徴とする請求項９に記載のプリント方法。
【請求項１１】
前記所定のインターフェースは、ＵＳＢケーブルを利用したＵＳＢインターフェースであることを特徴とする請求項１に記載のプリント方法。
【請求項１２】
プリントジョブについてのプリント制御情報及びプリントジョブに使われるファイルについての情報をマークアップ言語を用いて記述する第１マークアップファイルを生成する第１マークアップファイル生成部と、
前記生成された第１マークアップファイルを所定のインターフェースを通じてプリント装置に伝送する伝送部と、を備え、
前記プリントジョブに使われるファイルについての情報は、プリントレイアウトをマークアップ言語で記述する第２マークアップファイルについてのリンクを含むことを特徴とするイメージ供給装置。
【請求項１３】
前記所定のインターフェースは、ＵＳＢ保存装置と認識されるイメージ供給装置を直接前記プリント装置に挿入して使用するインターフェース、分離型記録媒体、無線インターフェース、またはＵＳＢケーブルを利用したＵＳＢインターフェースのうち、少なくとも一つを備えることを特徴とする請求項１２に記載のイメージ供給装置。
【請求項１４】
前記分離型記録媒体は、メモリスティックやメモリカードであることを特徴とする請求項１３に記載のイメージ供給装置。
【請求項１５】
前記無線インターフェースは、無線ＬＡＮのためのブルートゥースインターフェースまたはＷｉ−Ｆｉインターフェースであることを特徴とする請求項１３に記載のイメージ供給装置。
【請求項１６】
イメージ供給装置から所定のインターフェースを通じてプリントジョブについてのプリント制御情報及びプリントジョブに使われるファイルについての情報をマークアップ言語を用いて記述する第１マークアップファイルを受信する受信部と、
前記第１マークアップファイルを解釈して前記プリント制御情報によってプリントジョブを行うプリント制御部と、を備え、
前記プリントジョブに使われるファイルについての情報は、プリントレイアウトをマークアップ言語で記述する第２マークアップファイルについてのリンクを含むことを特徴とするプリント装置。
【請求項１７】
前記所定のインターフェースは、ＵＳＢ保存装置と認識されるイメージ供給装置を直接前記プリント装置に挿入して使用するインターフェース、分離型記録媒体、無線インターフェース、またはＵＳＢケーブルを利用したＵＳＢインターフェースのうち、少なくとも一つを備えることを特徴とする請求項１６に記載のプリント装置。
【請求項１８】
前記分離型記録媒体は、メモリスティックやメモリカードであることを特徴とする請求項１７に記載のプリント装置。
【請求項１９】
前記無線インターフェースは、無線ＬＡＮのためのブルートゥースインターフェースまたはＷｉ−Ｆｉインターフェースであることを特徴とする請求項１７に記載のプリント装置。
【請求項２０】
イメージ供給装置からプリント装置にイメージを伝送してプリントするプリントシステムにおいて、
前記イメージ供給装置と前記プリント装置とを連結する所定のインターフェース手段と、
前記所定のインターフェース手段を通じてプリントジョブについてのプリント制御情報及びプリントジョブに使われるファイルについての情報をマークアップ言語を用いて記述する第１マークアップファイルを伝送する伝送手段と、
前記伝送手段によって伝送された前記第１マークアップファイルを解釈して前記プリント制御情報によってプリントジョブを行うプリント手段と、を備え、
前記プリントジョブに使われるファイルについての情報は、プリントレイアウトをマークアップ言語で記述する第２マークアップファイルについてのリンクを含むことを特徴とするプリントシステム。
【請求項２１】
前記所定のインターフェースは、ＵＳＢ保存装置と認識されるイメージ供給装置を直接前記プリント装置に挿入して使用するインターフェース、分離型記録媒体、無線インターフェース、またはＵＳＢケーブルを利用したＵＳＢインターフェースのうち、少なくとも一つを備えることを特徴とする請求項２０に記載のプリントシステム。
【請求項２２】
前記分離型記録媒体は、メモリスティックやメモリカードであることを特徴とする請求項２１に記載のプリントシステム。
【請求項２３】
前記無線インターフェースは、無線ＬＡＮのためのブルートゥースインターフェースまたはＷｉ−Ｆｉインターフェースであることを特徴とする請求項２１に記載のプリントシステム。
【手続補正２】
【補正対象書類名】明細書
【補正対象項目名】００１９
【補正方法】変更
【補正の内容】
【００１９】
本発明によって、前述した技術的課題は、プリントジョブについてのプリント制御情報及びプリントジョブに使われるファイルについての情報をマークアップ言語を用いて記述する第1マークアップファイルを生成するステップと、生成された第１マークアップファイルを所定のインターフェースを通じてプリント装置に伝送するステップと、を含み、プリントジョブに使われるファイルについての情報は、プリントレイアウトをマークアップ言語で記述する第２マークアップファイルについてのリンクを含むことを特徴とするプリント方法によって達成される。
【手続補正３】
【補正対象書類名】明細書
【補正対象項目名】００２０
【補正方法】変更
【補正の内容】
【００２０】
また、前記プリント方法は、プリント装置で第１マークアップファイルを解釈して、プリント制御情報によってプリントジョブを行うステップをさらに含むことが望ましい。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】変更
【補正の内容】
【００２３】
また、前記プリント制御情報は、プリントする画面の余白、プリント枚数、ファイルの伝送のためのハンドル、プリントするイメージのサイズ、回転如何、色調整如何、サイズ調整如何、中心位置情報、解像度、プリント品質についての情報のうち少なくとも一つの情報を含むことが望ましい。
【手続補正７】
【補正対象書類名】明細書
【補正対象項目名】００２５
【補正方法】変更
【補正の内容】
【００２５】
一方、本発明の一分野によれば、前述した技術的課題は、プリントジョブについてのプリント制御情報及びプリントジョブに使われるファイルについての情報をマークアップ言語を用いて記述する第１マークアップファイルを生成する第１マークアップファイル生成部と、生成された第１マークアップファイルを所定のインターフェースを通じてプリント装置に伝送する伝送部と、を備え、プリントジョブに使われるファイルについての情報は、プリントレイアウトをマークアップ言語で記述する第２マークアップファイルについてのリンクを含むことを特徴とするイメージ供給装置によって達成される。
【手続補正８】
【補正対象書類名】明細書
【補正対象項目名】００２６
【補正方法】変更
【補正の内容】
【００２６】
一方、本発明の一分野によれば、前述した技術的課題は、イメージ供給装置から所定のインターフェースを通じてプリントジョブについてのプリント制御情報及びプリントジョブに使われるファイルについての情報をマークアップ言語を用いて記述する第１マークアップファイルを受信する受信部と、第１マークアップファイルを解釈してプリント制御情報によってプリントジョブを行うプリント制御部と、を備え、プリントジョブに使われるファイルについての情報は、プリントレイアウトをマークアップ言語で記述する第２マークアップファイルについてのリンクを含むことを特徴とするプリント装置によって達成される。
【手続補正９】
【補正対象書類名】明細書
【補正対象項目名】００２７
【補正方法】変更
【補正の内容】
【００２７】
一方、本発明の一分野によれば、前述した技術的課題は、イメージ供給装置からプリント装置にイメージを伝送してプリントするプリントシステムにおいて、イメージ供給装置とプリント装置とを直接連結する所定のインターフェース手段と、所定のインターフェース手段を通じてプリントジョブについてのプリント制御情報及びプリントジョブに使われるファイルについての情報をマークアップ言語を用いて記述する第１マークアップファイルを伝送する伝送手段と、伝送手段によって伝送された第１マークアップファイルを解釈してプリント制御情報によってプリントジョブを行うプリント手段と、を備え、プリントジョブに使われるファイルについての情報は、プリントレイアウトをマークアップ言語で記述する第２マークアップファイルについてのリンクを含むことを特徴とするプリントシステムによって達成される。
【手続補正１０】
【補正対象書類名】明細書
【補正対象項目名】００２８
【補正方法】変更
【補正の内容】
【００２８】
また、前記所定のインターフェースは、ＵＳＢ保存装置と認識されるイメージ供給装置を直接プリント装置に挿入して使用するインターフェース、メモリスティックやメモリカードのような分離型記録媒体、無線ＬＡＮのためのブルートゥースインターフェースまたはＷｉ−Ｆｉインターフェース、またはＵＳＢケーブルを利用したＵＳＢインターフェースのうち少なくとも一つを備えることが望ましい。